(57)【要約】【課題】第１のサービスに対応付けられる２人の個人に対して第１のサービスに関連付いた別のサービスを提供するに際し、新規なサービスの提供の仕方を提供する。【解決手段】第１の管理処理部は、第１の特定個人に対応付けられるサービスである第１のサービスのコンテンツ情報を、第１の特定個人に閲覧可能にする。第２の管理処理部は、第１のサービスと関連付いた別のサービスであって第１の特定個人に対応付けられるサービスである第２のサービスのコンテンツ情報を、第１の特定個人に閲覧可能にする。リンク部は、所定の時期に、第１の特定個人と、第１の特定個人とは別人であって第１のサービスに対応付けられる第２の特定個人と、を第２のサービスにおいてリンク付ける。第２の管理処理部は、第１の特定個人に紐付けられた、第２のサービスのコンテンツ情報を、第２の特定個人に対しても閲覧可能にする。【選択図】図１１
2019114041.tif 000002
【特許請求の範囲】
【請求項１】
第１の特定個人に対応付けられるサービスである第１のサービスのコンテンツ情報を、前記第１の特定個人に閲覧可能にする第１の管理処理部と、
前記第１のサービスと関連付いた別のサービスであって前記第１の特定個人に対応付けられるサービスである第２のサービスのコンテンツ情報を、前記第１の特定個人に閲覧可能にする第２の管理処理部と、
所定の時期に、前記第１の特定個人と、前記第１の特定個人とは別人であって前記第１のサービスに対応付けられる第２の特定個人と、を前記第２のサービスにおいてリンク付けるリンク部と、
を備え、
前記第２の管理処理部は、前記リンク部により前記第１の特定個人と前記第２の特定個人とがリンク付けられた場合に、前記第１の特定個人に紐付けられた、前記第２のサービスのコンテンツ情報を、前記第２の特定個人に対しても閲覧可能にする、情報管理装置。
【請求項２】
請求項１に記載の情報管理装置であって、
前記第２の管理処理部は、前記第１の特定個人と前記第２の特定個人とで、異なる期間の前記コンテンツ情報を閲覧可能にする、情報管理装置。
【請求項３】
請求項１又は請求項２に記載の情報管理装置であって、
前記第１の特定個人は、母親であり、
前記第２の特定個人は、前記母親の子供である、情報管理装置。
【請求項４】
第１の特定個人に対応付けられるサービスである第１のサービスのコンテンツ情報を、前記第１の特定個人に閲覧可能にする第１の管理処理部と、
前記第１のサービスと関連付いた別のサービスであって前記第１の特定個人に対応付けられるサービスである第２のサービスのコンテンツ情報を、前記第１の特定個人に閲覧可能にする第２の管理処理部と、
所定の時期に、前記第１の特定個人と、前記第１の特定個人とは別人であって前記第１のサービスに対応付けられる第２の特定個人と、を前記第２のサービスにおいてリンク付けるリンク部と、
を備え、
前記第２の管理処理部は、前記リンク部により前記第１の特定個人と前記第２の特定個人とがリンク付けられた場合に、前記第１の特定個人に紐付けられた、前記第２のサービスのコンテンツ情報を、前記第２の特定個人に対しても閲覧可能にする、情報管理装置としてコンピュータを機能させるコンピュータプログラム。
【発明の詳細な説明】
【技術分野】
【０００１】
本開示は、情報管理装置及びコンピュータプログラムする技術に関する。
【背景技術】
【０００２】
特許文献１には、ユーザの健康を管理する健康管理サービスを提供する健康管理サーバが開示されている。この健康管理サーバは、ユーザの食事や健康状態から適切なアドバイスメッセージを生成して、ユーザの健康管理を促す。
【先行技術文献】
【特許文献】
【０００３】
【特許文献１】特開２０１７−９１５８６号公報
【発明の概要】
【発明が解決しようとする課題】
【０００４】
ところで、健康管理サービスのような或るサービス（第１のサービス）を提供している会社が、第１のサービスに関連付いた別のサービス（第２のサービス）の提供を開始する場合がある。この場合、第１のサービスに対応付けられる２人の個人に第２のサービスを提供するに際し、種々のサービスの提供の仕方がある。
【０００５】
本開示の一局面は、第１のサービスに対応付けられる２人の個人に対して第１のサービスと関連付いた別のサービスを提供するに際し、新規なサービスの提供の仕方を提供することを目的とする。
【課題を解決するための手段】
【０００６】
本開示の一態様は、情報管理装置であって、第１の管理処理部と、第２の管理処理部と、リンク部と、を備える。第１の管理処理部は、第１の特定個人に対応付けられるサービスである第１のサービスのコンテンツ情報を、第１の特定個人に閲覧可能にする。第２の管理処理部は、第１のサービスと関連付いた別のサービスであって第１の特定個人に対応付けられるサービスである第２のサービスのコンテンツ情報を、第１の特定個人に閲覧可能にする。リンク部は、所定の時期に、第１の特定個人と、第１の特定個人とは別人であって第１のサービスに対応付けられる第２の特定個人と、を第２のサービスにおいてリンク付ける。第２の管理処理部は、リンク部により第１の特定個人と第２の特定個人とがリンク付けられた場合に、第１の特定個人に紐付けられた、第２のサービスのコンテンツ情報を、第２の特定個人に対しても閲覧可能にする。
【０００７】
このような構成によれば、新規なサービスの提供の仕方を提供できる。
上記の情報管理装置としてコンピュータを機能させるコンピュータプログラム、当該情報管理装置を実現するための制御方法、及び、上記のコンピュータプログラムを格納するコンピュータ読取可能記憶媒体も新規で有用である。
【図面の簡単な説明】
【０００８】
【図１】情報管理システムの構成を示すブロック図である。
【図２】健康サーバに記憶されるデータを示す図（１）である。
【図３】健康サーバに記憶されるデータを示す図（２）である。
【図４】健康サーバに記憶されるデータを示す図（３）である。
【図５】妊活母子手帳サーバに記憶されるデータを示す図（１）である。
【図６】妊活母子手帳サーバに記憶されるデータを示す図（２）である。
【図７】妊活母子手帳サーバに記憶されるデータを示す図（３）である。
【図８】母親と子供とをリンク付けるリンクデータを示す図である。
【図９】健康送信処理のフローチャートである。
【図１０】リンク処理のフローチャートである。
【図１１】母子送信処理のフローチャートである。
【発明を実施するための形態】
【０００９】
以下、図面を参照しながら、本開示を実施するための形態を説明する。
［１．構成］
図１に示す情報管理システム１００は、第１端末装置１、第２端末装置２、健康管理サーバ３及び妊活母子手帳サーバ４を備える。
【００１０】
第１端末装置１及び第２端末装置２は、ユーザが携帯して使用可能な情報機器であり、例えばスマートフォンやタブレット端末等である。第１端末装置１は母親に所持され、第２端末装置２はその子供に所持されることが想定される。なお、子供は、育児期間を経て、例えば、成人年齢に達していることが考えられる。以下では、第１端末装置１及び第２端末装置２を「端末装置１，２」と総称する場合がある。
【００１１】
端末装置１，２には、健康管理アプリと妊活・母子手帳アプリとがインストールされ、記憶されている。健康管理アプリは、健康管理サーバ３によって提供される後述する健康管理サービスをユーザが受けるためのアプリケーションソフトウェアである。妊活・母子手帳アプリは、妊活母子手帳サーバ４によって提供される後述する妊活・母子手帳サービスをユーザが受けるためのアプリケーションソフトウェアである。なお、後述するとおり、子供である第２端末装置２のユーザは、母親である第１端末装置１のユーザが入力した妊活・母子手帳サービスの情報を閲覧すること等を目的として妊活・母子手帳サービスを利用する。
【００１２】
健康管理サーバ３は、ユーザに対して健康管理サービスを提供するためのサーバである。
健康管理サービスは、健康管理アプリを介してユーザの健康を管理するサービスである。具体的には、健康管理サービスでは、ユーザ個人に関する情報であってユーザの健康に関連する情報である健康情報が健康管理サーバ３上で管理される。そして、ユーザのアクセス要求に応じて、管理された健康情報がユーザの端末装置に送信され、ユーザが健康情報を閲覧可能にする。なお、健康管理サービスの内容はこれに限られず、例えば、管理された健康情報に基づき、端末装置１，２に健康に関するアラートを出力するサービスなどを含んでもよい。なお、本実施形態では、第１端末装置１のユーザである母親と第２端末装置２のユーザであるその子供とは、共に健康管理サービスのユーザである。
【００１３】
健康管理サーバ３は、通信部３１、記憶部３２及び制御部３３を備える。
通信部３１は、端末装置１，２及び妊活母子手帳サーバ４等の外部の装置とデータ通信を行うためのインタフェースである。通信部３１は、有線ＬＡＮ、無線ＬＡＮ、インターネットなどの各種ネットワークに接続可能である。
【００１４】
記憶部３２は、各種データ、プログラム等を記憶する。記憶部３２には、ユーザごとの健康情報が、当該ユーザの識別情報（ユーザＩＤ）と紐付けられて記憶されている。本実施形態では、健康情報には、日常データ、健診データ及びストレスチェックデータが含まれる。
【００１５】
日常データは、ユーザが日々端末装置１，２に入力する健康情報である。日常データには、図２に示すように、活動データ、身体データ及び食事データが含まれる。
活動データは、ユーザの活動に関するデータである。活動データには、ユーザが歩いた歩数、運動量、消費カロリー、睡眠時間、就寝時刻、起床時刻等のデータが含まれる。身体データは、ユーザの身体に関するデータである。身体データには、ユーザの体重、体脂肪率、血圧等のデータが含まれる。食事データは、ユーザの食事に関するデータである。食事データには、食事摂取時刻、食事摂取回数、摂取カロリー、摂取塩分量等のデータが含まれる。
【００１６】
一方、健診データは、ユーザが受診した健康診断の結果を示すデータである。健診データには、図３に示すように、ユーザの体重、身長、ＢＭＩ、腹囲、尿酸値、ＡＬＴ（ＧＰＴ）、ＡＳＴ（ＧＯＴ）、γ−ＧＴ、中性脂肪値、ＬＤＬコレステロール、ＨＤＬコレステロール、空腹時血糖値、ＨｂＡ１ｃ等の各検査項目のデータが含まれる。
【００１７】
ストレスチェックデータは、ユーザが受けたストレスチェックの結果を示すデータである。ストレスチェックデータには、図４に示すように、ストレスチェックの総合判定、仕事の負荷判定、仕事の資源（作業レベル）判定、仕事の資源（部署）判定、仕事の資源（事業所）判定等のデータが含まれる。ここで、仕事の資源（作業レベル）判定は、仕事の作業に対するストレスチェック判定である。仕事の資源（部署）判定は、ユーザの所属する部署に対するストレスチェック判定である。仕事の資源（事業所）判定は、ユーザの所属する事業所に対するストレスチェック判定である。なお、ユーザの端末装置１，２から送信された日常データ、健診データ及びストレスチェックデータが記憶部３２に記憶される。
【００１８】
制御部３３は、ＣＰＵ３３１と、ＲＡＭ、ＲＯＭ、フラッシュメモリ等の半導体メモリ（以下、メモリ３３２）と、を有する周知のマイクロコンピュータを中心に構成される。制御部３３の各種機能は、ＣＰＵ３３１が非遷移的実体的記憶媒体に格納されたプログラムを実行することにより実現される。この例では、メモリ３３２が、プログラムを格納した非遷移的実体的記憶媒体に該当する。また、このプログラムの実行により、プログラムに対応する方法が実行される。また、ＣＰＵ３３１がプログラムを実行すること、後述する図９に示す健康送信処理が実行される。
【００１９】
一方、妊活母子手帳サーバ４は、ユーザに対して妊活・母子手帳サービスを提供するためのサーバである。
妊活・母子手帳サービスは、妊活・母子手帳アプリを介してユーザの妊娠活動を支援するとともに、妊娠活動期の母親及び妊娠期以降の母子の状態を管理するサービスである。ここで、妊娠活動は、ユーザが妊娠についての知識を身に付けたり、妊娠に向けて自身の身体の状態を把握するなどの活動である。
【００２０】
妊活・母子手帳サービスでは、妊娠活動期、妊娠期及び育児期によって異なった内容のサービスが提供される。具体的には、妊娠活動期では、ユーザの日々の健康状態や生理日、排卵日の予定日などの、妊娠活動に関する情報である妊活情報が妊活母子手帳サーバ４上で管理される。そして、ユーザのアクセス要求に応じて、管理された妊活情報がユーザの端末装置に送信され、ユーザが妊活情報を閲覧可能にする。妊娠期では、ユーザ（妊婦）の日々の健康状態や母子手帳に準拠した産前の情報などを含む情報である産前母子手帳情報が妊活母子手帳サーバ４上で管理される。そして、ユーザのアクセス要求に応じて、管理された産前母子手帳情報がユーザの端末装置に送信され、ユーザが産前母子手帳情報を閲覧可能にする。育児期では、ユーザ（母親）の日々の育児データや母子手帳に準拠した産後の情報を含む情報である産後母子手帳情報が妊活母子手帳サーバ４上で管理される。そして、ユーザのアクセス要求に応じて、管理された産後母子手帳情報がユーザの端末装置に送信され、ユーザが産後母子手帳情報を閲覧可能にする。
【００２１】
また、本実施形態では、健康管理サーバ３と妊活母子手帳サーバ４とは互いに連携して健康管理サービス及び妊活・母子手帳サービスを提供する。具体的には、両サービスのユーザＩＤは一括管理され、同一ユーザＩＤで両サービスが利用可能である。また、両サービスで共通して使われる情報である健康情報が健康管理サーバ３と妊活母子手帳サーバ４との間で同期される。すなわち、一方のサーバに記憶された健康情報が更新されると、他方のサーバに記憶された健康情報も自動で更新される。
【００２２】
通信部４１は、端末装置１，２及び健康管理サーバ３等の外部の装置とデータ通信を行うためのインタフェースである。通信部４１は、有線ＬＡＮ、無線ＬＡＮ、インターネットなどの各種ネットワークに接続可能である。
【００２３】
記憶部４２は、各種データ、プログラム等を記憶する。記憶部４２には、ユーザごとの妊活情報、産前母子手帳情報及び産後母子手帳情報が、当該ユーザのユーザＩＤと紐付けられて記憶されている。
【００２４】
妊活情報には、図５に示すように、ユーザの日々の健康状態を示す前述した日常データに加え、生理日の開始日／終了日、生理周期、次回生理予定日、排卵予定日、病院の診察履歴、次回の診察予定日等のデータが含まれる。ここで、生理周期、次回生理予定日及び排卵予定日を除く各データは、ユーザの端末装置１から送信されて記憶部４２に記憶される。一方、生理周期、次回生理予定日、排卵予定日等は、ユーザの端末装置１から送信された各データに基づき母子手帳妊活サーバ４側で算出されて記憶部４２に記憶される。
【００２５】
一方、産前母子手帳情報には、図６に示すように、前述した日常データに加え、妊婦記録データ、妊娠経過データ、日付データ等が含まれる。妊婦記録データは、ユーザ（妊婦）の体調や健康診断の際にユーザが医師に尋ねたこと等を示すデータである。妊娠経過データは、診察時に病院で医師に記入してもらった内容を示すデータである。日付データは、母親学級予定日及び診察予定日等の日付を示すデータである。なお、産前母子手帳情報に含まれる各データは、ユーザの端末装置１から送信されて記憶部４２に記憶される。
【００２６】
一方、産後母子手帳情報には、図７に示すように、育児データ、健診記憶データ、予防接種データ等が含まれる。育児データは、授乳量やおむつ替え、お昼寝時間など、日常の育児に関するデータである。健診記憶データは、定期健診や学校検診、歯科検診などの予定や結果を示すデータである。予防接種データは、予防接種の予定、受けた予防接種の内容や結果を示すデータである。なお、産後母子手帳情報に含まれる各データは、ユーザの端末装置１から送信されて記憶部４２に記憶される。
【００２７】
また、本実施形態では、記憶部４２にはリンクデータが記憶されている。リンクデータは、母親とその子供とを妊活・母子手帳サービスにおいて対応付ける（リンク付ける）データである。すなわち、本実施形態では、母親とその子供（例えば成人年齢に達した子供）とが、妊活母子手帳サーバ４に記憶された共通の情報（本実施形態では母親が入力した情報）を妊活・母子手帳アプリを介して閲覧できる。つまり、子供が、自身の幼少期の健診記録データ等を閲覧できる。なお、リンクデータでは、母親の妊活・母子手帳サービスのユーザＩＤと、子供の健康管理サービスのユーザＩＤと、がリンク付けられる。そして、子供は、妊活・母子手帳アプリを起動し、自身の健康管理サービスのＩＤでアクセス要求することで、母親が入力した各種情報を閲覧できる。
【００２８】
具体的には、リンクデータでは、図８に示すように、母親の妊活・母子手帳サービスのユーザＩＤ並びに子供の名前、誕生日、性別及び健康管理サービスのユーザＩＤが互いにリンク付けられる。
【００２９】
なお、リンクデータは例えば次のようにして生成される。すなわち、母親である第１端末装置１のユーザは、自身の第１端末装置１から子供の第２端末装置２に対して招待リクエストを出す。招待リクエストを受けた第２端末装置２のユーザは、妊活・母子手帳サービスにおいて自身の健康管理サービスのＩＤを入力する。すると、母親である第１端末装置１のユーザによりあらかじめ入力された子供（第２端末装置２のユーザ）の名前、誕生日、性別と、母親である第１端末装置１のユーザの妊活・母子手帳サービスのユーザＩＤと、子供である第２端末装置２のユーザの健康管理サービスのユーザＩＤと、がリンク付けられ、リンクデータが生成される。これにより、子供である第２端末装置２のユーザは、自身の健康管理サービスのユーザＩＤを用いて、妊活母子手帳サーバ４に記憶された母親である第１端末装置１のユーザのユーザＩＤに紐付けられた各種情報を閲覧できる。
【００３０】
制御部４３は、ＣＰＵ４３１と、ＲＡＭ、ＲＯＭ、フラッシュメモリ等の半導体メモリ（以下、メモリ４３２）と、を有する周知のマイクロコンピュータを中心に構成される。制御部４３の各種機能は、ＣＰＵ４３１が非遷移的実体的記憶媒体に格納されたプログラムを実行することにより実現される。この例では、メモリ４３２が、プログラムを格納した非遷移的実体的記憶媒体に該当する。また、このプログラムの実行により、プログラムに対応する方法が実行される。制御部４３は、ＣＰＵ４３１がプログラムを実行することで、後述する図１０のリンク処理と図１１の母子送信処理を実行する。
【００３１】
［２．処理］
［２−１．健康送信処理］
次に、健康管理サーバ３の制御部３３が実行する健康送信処理について、図９のフローチャートを用いて説明する。なお、健康送信処理は、周期的に実行される。
【００３２】
まず、Ｓ１０１で、制御部３３は、端末装置からアクセス要求を受信したか否かを判定する。ここでいう端末装置は、第１端末装置１，２及び健康管理サービスを利用する他のユーザの端末装置のいずれかの端末装置である。なお、端末装置において健康管理アプリを起動すると、ログイン画面が表示される。当該ログイン画面でユーザＩＤ及びパスワードが入力されると、ユーザＩＤ及びパスワードを含むアクセス要求が当該端末装置から健康管理サーバ３に送信される。
【００３３】
制御部３３は、Ｓ１０１で端末装置からアクセス要求を受信していないと判定した場合には、図９の健康送信処理を終了する。
一方、制御部３３は、Ｓ１０１で端末装置からアクセス要求を受信したと判定した場合には、Ｓ１０２へ移行し、要求元端末装置の健康情報へのアクセスを許可するか否かを判定する。ここでいう要求元端末装置は、Ｓ１０１で受信されたアクセス要求を送信した端末装置である。
【００３４】
Ｓ１０２では、制御部３３は、Ｓ１０１で受信されたユーザＩＤ及びパスワードの組合せが記憶部３２に記憶されたものと一致するか否かを判定する。それらが一致する場合、制御部３３は、要求元端末装置の健康情報へのアクセスを許可する。一方、それらが一致しない場合、制御部３３は、要求元端末装置の健康情報へのアクセスを許可しない。
【００３５】
制御部３３は、Ｓ１０２で要求元端末装置の健康情報へのアクセスを許可しないと判定した場合には、図９の健康送信処理を終了する。
一方、制御部３３は、Ｓ１０２で要求元端末装置のアクセスを許可すると判定した場合には、Ｓ１０３へ移行し、Ｓ１０１で受信されたユーザＩＤに紐付けられた健康情報を記憶部３２から取得する。
【００３６】
続いて、Ｓ１０４で、制御部３３は、Ｓ１０３で取得された健康情報を要求元端末装置に送信した後、図９の健康送信処理を終了する。これにより、要求元端末装置の表示画面上に健康情報が表示され、健康管理サーバ３上で管理された健康情報をユーザが閲覧可能になる。
【００３７】
［２−２．リンク処理］
次に、妊活母子手帳サーバ４の制御部４３が実行するリンク処理について、図１０のフローチャートを用いて説明する。本実施形態では、リンク処理は次のようにして開始される。
【００３８】
すなわち、子供の端末装置（例えば第２端末装置２）が前述した招待リクエストを母親の端末装置（例えば第１端末装置１）から受信すると、子供であるユーザは自身の健康管理サービスのユーザＩＤを含む登録情報を端末装置に入力し、妊活母子手帳サーバ４に送信する。妊活母子手帳サーバ４の制御部４３は、通信部４１を介して登録情報を受信すると、受診された登録情報をメモリ４３２に記憶するとともに、リンク処理を開始する。なお、以下では、招待リクエストを送信した端末装置を「母端末装置」、招待リクエストを受信した端末装置を「子端末装置」ともいう。
【００３９】
まず、Ｓ２０１で、制御部４３は、母端末装置（例えば第１端末装置１）のユーザの妊活・母子手帳サービスのユーザＩＤをメモリ４３２から取得する。すなわち、本実施形態では、制御部４３が登録情報を受信した場合に、招待リクエストを送信した母端末装置が特定可能になっている。例えば、受信された登録情報に母端末装置のユーザの妊活・母子手帳サービスのユーザＩＤが含まれていてもよい。制御部４３は、母端末装置の当該ユーザＩＤをメモリ４３２に仮記憶しており、メモリ４３２から母端末装置の当該ユーザＩＤを取得する。なお、Ｓ２０１では、制御部４３は、母端末装置のユーザＩＤを取得するとともに、記憶部４２に記憶された、母端末装置のユーザＩＤに紐付いた各種情報（特に、子供の名前、誕生日及び性別の情報）を取得する。
【００４０】
続いて、Ｓ２０２で、制御部４３は、子端末装置のユーザの健康管理のユーザＩＤを、登録情報を記憶しているメモリ４３２から取得する。
続いて、Ｓ２０３で、制御部４３は、Ｓ２０１で取得された母端末装置のユーザの妊活・母子手帳サービスのユーザＩＤを含む各種情報と、Ｓ２０２で取得された子端末装置のユーザの健康管理サービスのユーザＩＤと、をリンク付けることでリンクデータを生成する。制御部４３は、生成したリンクデータを記憶部４２に記憶する。その後、制御部４３は、図１１のリンク処理を終了する。
【００４１】
［２−３．母子送信処理］
次に、妊活母子手帳サーバ４の制御部４３が実行する母子送信処理について、図１１のフローチャートを用いて説明する。なお、母子送信処理は、周期的に実行される。
【００４２】
まず、Ｓ３０１で、制御部４３は、端末装置からアクセス要求を受信したか否かを判定する。ここでいう端末装置は、第１端末装置１，２及び妊活・母子手帳サービスを利用する他のユーザの端末装置のいずれかの端末装置である。なお、端末装置において母子手帳妊活アプリを起動すると、ログイン画面が表示される。当該ログイン画面でユーザＩＤ及びパスワードが入力されると、ユーザＩＤ及びパスワードを含むアクセス要求が端末装置から妊活母子手帳サーバ４に送信される。
【００４３】
制御部４３は、Ｓ３０１で端末装置からアクセス要求を受信していないと判定した場合には、図１１の母子送信処理を終了する。
一方、制御部４３は、Ｓ３０１で端末装置からアクセス要求を受信したと判定した場合には、Ｓ３０２へ移行し、要求元端末の妊活母子手帳情報へのアクセスを許可するか否かを判定する。ここでいう要求元端末装置は、Ｓ３０１で受信されたアクセス要求を送信した端末装置である。また、妊活母子手帳情報は、前述した妊活情報、産前母子手帳情報及び産後母子手帳情報の総称である。
【００４４】
Ｓ３０２では、制御部４３は、Ｓ３０１で受信されたユーザＩＤ及びパスワードの組合せが記憶部４２に記憶されたものと一致するか否かを判定する。それらが一致する場合、制御部４３は、要求元端末装置の妊活母子手帳情報へのアクセスを許可する。一方、それらが一致しない場合、制御部４３は、要求元端末装置の妊活母子手帳情報へのアクセスを許可しない。
【００４５】
制御部４３は、Ｓ３０２で要求元端末装置の妊活母子手帳情報へのアクセスを許可しないと判定した場合には、図１１の母子送信処理を終了する。
一方、制御部４３は、Ｓ３０２で要求元端末装置のアクセスを許可すると判定した場合には、Ｓ３０３へ移行し、母子判定を行う。
【００４６】
Ｓ３０３の母子判定では、要求元端末装置のユーザが母親であるか子供であるかが判定される。本実施形態では、リンクデータを介して母親であるユーザの妊活・母子手帳サービスのユーザＩＤにその健康管理サービスのユーザＩＤが紐付けられた、上記母親以外の他のユーザには、子供であることを示す識別情報が付与される。制御部４３は、Ｓ３０１で受信されたユーザＩＤのユーザについて上記識別情報の有無を判定し、要求元端末装置のユーザが母親であるか子供であるかを判定する。
【００４７】
制御部４３は、Ｓ３０３で要求元端末装置のユーザが母親であると判定した場合には、Ｓ３０４へ移行し、第１の期間（妊娠活動期、妊娠期及び育児期）の妊活母子手帳情報の中からユーザが閲覧を要求する情報を記憶部４２から取得する。例えば、ユーザが妊活情報の閲覧を要求する場合、制御部４３は妊活情報を記憶部４２から取得する。ここで、制御部４３は、要求元端末装置のユーザのユーザＩＤに紐付けられた妊活母子手帳情報を記憶部４２から取得する。制御部４３は、Ｓ３０４を実行すると、後述するＳ３０６へ移行する。
【００４８】
一方、制御部４３は、前述したＳ３０３で要求元端末装置のユーザが子供であると判定した場合には、第２の期間（妊娠期及び育児期）の妊活母子手帳情報の中からユーザが閲覧を要求する情報を記憶部４２から取得する。ここで、制御部４３は、リンクデータにおいて要求元端末装置のユーザとリンク付けられたユーザのユーザＩＤに紐付けられた妊活母子手帳情報を記憶部４２から取得する。例えば、Ｓ３０１で第２端末装置２からのアクセス要求が受信された場合、Ｓ３０５では第１端末装置１のユーザのユーザＩＤに紐付けられた妊活母子手帳情報が取得される。制御部４３は、Ｓ３０５を実行すると、制御部４３は、後述するＳ３０６へ移行する。
【００４９】
続いて、Ｓ３０６で、制御部４３は、Ｓ３０４又はＳ３０５で取得された妊活母子手帳情報を要求元端末装置に送信した後、図１１の母子送信処理を終了する。これにより、要求元端末装置の表示画面上に妊活母子手帳情報が表示され、妊活母子手帳サーバ４上で管理された妊活母子手帳情報をユーザが閲覧可能になる。このように、本実施形態では要求元端末装置のユーザが母親である場合、ユーザは出産以前の妊娠活動期も含めた全期間の妊活母子手帳情報を閲覧できる。一方、要求元端末装置のユーザが子供である場合、ユーザは、妊娠期以降、すなわち、自身が生を受けてからの情報である産前及び産後母子手帳情報のみ閲覧できる。
【００５０】
［３．効果］
以上詳述した実施形態によれば、以下の効果が得られる。
（１）本実施形態では、所定の時期に、母親とその子供とが妊活・母子手帳サービスにおいてリンク付けられる。そして、母親に紐付けられた妊活母子手帳情報が、その子供に対しても閲覧可能になる。したがって、新規なサービスの提供の仕方を提供できる。特に、母親にリンク付けられた子供は、自身が妊活・母子手帳サービスに登録された時よりも前に母親が入力した妊活母子手帳情報を閲覧できる。ひいては、登録された時よりも前の妊活母子手帳情報を子供が医療機関の受信時に医師に提示するなど、母親に紐付けられた妊活母子手帳情報を有効活用できる。加えて、健康サービスと妊活・母子手帳サービスとが互いに連携されるため、両サービスで蓄積されたデータを相互に利用するなど、サービス向上を図ることができる。
【００５１】
（２）本実施形態では、制御部４３は、第１の特定個人である母親と第２の特定個人である子供とで異なる期間の妊活母子手帳情報を閲覧可能にする。ユーザに提供されるサービス内容によっては第１の特定個人と第２の特定個人とで閲覧したい期間が異なる場合がある。例えば、本実施形態のような妊活・母子手帳サービスでは、母親であるユーザは妊娠活動期、妊娠期及び育児期の全期間の妊活母子手帳情報を閲覧したい一方、その子供であるユーザは自身に関連する妊娠期及び育児期の妊活母子手帳情報のみ閲覧したいと考える場合がある。そのような場合に、本実施形態の構成によれば、ユーザのニーズに合った期間の情報を提供することができる。
【００５２】
（３）本実施形態では、母親と子供とがリンク付けられる。よって、妊活・母子手帳サービスのように母親及びその子供に関連するサービスにおいて、母親及びその子どもに共通の情報を閲覧させることができる。
【００５３】
なお、本実施形態では、健康管理サーバ３の制御部３３及び妊活母子手帳サーバ４の制御部４３が情報管理装置に相当し、第１端末装置１のユーザである母親が第１の特定個人に相当し、第２端末装置２のユーザである子供が第２の特定個人に相当する。また、健康管理サービスが第１のサービスに相当し、妊活・母子手帳サービスが第２のサービスに相当し、健康情報が第１のサービスのコンテンツ情報に相当し、妊活母子手帳情報が第２のサービスのコンテンツ情報に相当する。また、Ｓ１０３及びＳ１０４が第１の管理処理部としての処理に相当し、Ｓ２０３がリンク部としての処理に相当し、Ｓ３０４〜Ｓ３０６が第２の管理処理部としての処理に相当する。
【００５４】
［４．他の実施形態］
以上、本開示を実施するための形態について説明したが、本開示は上述の実施形態に限定されることなく、種々変形して実施することができる。
【００５５】
（１）上記実施形態では、母親の妊活・母子手帳サービスのユーザＩＤ（すなわち、第１の特定個人の第２のサービスのユーザＩＤ）と、子供の健康管理サービスのユーザＩＤ（すなわち、第２の特定個人の第１のサービスのユーザＩＤ）と、をリンク付けるリンクデータが生成される。しかし、リンクデータはこれに限られない。リンクデータは、例えば、第１の特定個人の第２のサービスのユーザＩＤと第２の特定個人の第２のサービスのユーザＩＤとをリンク付けるデータであってもよい。この場合、第１及び第２の特定個人の第１のサービスのユーザＩＤと第２のサービスのユーザＩＤとは互いに異なるユーザＩＤであってもよい。
（２）上記実施形態では、母親である第１端末装置１のユーザは、同一ユーザＩＤで健康管理サービス及び妊活・母子手帳サービスを利用可能であるが、両サービスの提供の仕方はこれに限られない。例えば、同一ユーザの健康管理サービスのユーザＩＤと妊活・母子手帳サービスのユーザＩＤとは別ＩＤであり、これらのユーザＩＤが互いに紐付けられてもよい。
【００５６】
（３）上記実施形態では、母親と子供とは第１端末装置１が第２端末装置２に招待リクエストを送信した時期に互いにリンク付けられるが、リンク付けられる時期はこれに限られるものではない。例えば、母親及び子供、ひいては、第１及び第２の特定個人は任意の時期にリンク付けられてよい。
【００５７】
（４）上記実施形態では、母親と子供とがリンク付けられるが、母親及び子供以外の２人の特定個人が互いにリンク付けられてもよい。
（５）上記実施形態では、第１及び第２の期間は互いに異なる期間、具体的には、第２の期間は第１の期間よりも短い期間であるが、第１及び第２の期間はこれに限られない。例えば、第１及び第２の期間は同一期間であってもよい。また、第２の期間は、第１の期間よりも長い期間であってもよい。
【００５８】
（６）上記実施形態では、健康管理サービスのユーザである母親と子供とが妊活・母子手帳サービスにおいてリンク付けられる。すなわち、第１のサービスに既に対応付けられた第１及び第２の特定個人が第２のサービスにおいてリンク付けられる。しかし、第１及び第２の特定個人をリンク付ける方法はこれに限られない。例えば、第２のサービスにおいて既にリンク付けられた第１及び第２の特定個人のうちの少なくとも一方が、リンク付けられた後に、第１のサービスに対応付けられてもよい。
（７）上記実施形態では、第１及び第２のサービスとして健康管理サービス及び妊活・母子手帳サービスを例示したが、第１及び第２のサービスはこれに限られない。第１及び第２のサービスは、互いに関連付いた他の２つのサービスであってもよい。この場合、第１及び第２の特定個人に対し、健康情報及び妊活母子手帳情報以外のコンテンツ情報が提供される。なお、或るサービスのコンテンツ情報とは、そのサービスにおいてユーザに提供される情報を意味する。
【００５９】
（８）上記実施形態で、制御部３３，４３が実行する機能の一部又は全部を、１つあるいは複数のＩＣ等によりハードウェア的に構成してもよい。また、制御部３３，４３を構成するマイクロコンピュータの数は１つでも複数でもよい。
【００６０】
（９）上記実施形態では、２つのサービスを２台のサーバ３，４で提供したが、サービスを提供するサーバの台数はこれに限られない。例えば、１台、又は、２台以外の複数台、のサーバにより２つのサービスが提供されてもよい。
【００６１】
（１０）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言によって特定される技術思想に含まれるあらゆる態様が本開示の実施形態である。
【符号の説明】
【００６２】
１…第１端末装置、２…第２端末装置、３…健康管理サーバ、４…妊活母子手帳サーバ、３１…通信部、３２…記憶部、３３…制御部、４１…通信部、４２…記憶部、４３…制御部、１００…情報管理システム。
【図１】
2019114041.tif 000003
【図２】
2019114041.tif 000004
【図３】
2019114041.tif 000005
【図４】
2019114041.tif 000006
【図５】
2019114041.tif 000007
【図６】
2019114041.tif 000008
【図７】
2019114041.tif 000009
【図８】
2019114041.tif 000010
【図９】
2019114041.tif 000011
【図１０】
2019114041.tif 000012
【図１１】
2019114041.tif 000013